(57)【要約】【課題】モジュール化した設計を利用してワイヤレスイヤホン等の内部に設置し、組立てコストを大幅に削減できる、組立式内部モジュール構造体を提供すること。【解決手段】電気回路２０と、下カバー３０と、上カバー４０を含み、電気回路２０が第１回路板と、第１回路板から延伸された第２回路板２２を備え、上カバー４０が下カバー３０の上方に設置され、第１回路板が上カバー４０と下カバー３０の間に固定され、上カバー４０が、下カバー３０と一定の角度を形成して設置された第１側壁を備え、第１側壁上に第２回路板２２の収納に用いる第１位置決め溝が設置され、第２回路板２２は、第１位置決め溝に設置された時、第１回路板との間に第１挟角が形成される。【選択図】図６
2020102604.tif 000002
【特許請求の範囲】
【請求項１】
組立式内部モジュール構造体であって、電気回路と、下カバーと、上カバーを含み、
前記電気回路が第１回路板と、該第１回路板から延伸された第２回路板を備え、
前記下カバーが前記第１回路板を設置するために用いられ、
前記上カバーが前記下カバーの上方に設置され、前記第１回路板を前記上カバーと前記下カバーの間に固定するために用いられ、かつ前記上カバーが、前記下カバーに対して一定の角度を形成して立ち上がる第１側壁を備え、かつ前記第１側壁上に前記第２回路板の収納に用いる第１位置決め溝が設置され、前記第２回路板は、前記第１位置決め溝に設置された時、前記第１回路板に対して第１挟角をもって折れ曲がる、
ことを特徴とする、組立式内部モジュール構造体。
【請求項２】
前記第２回路板と前記第１位置決め溝の間にさらに、少なくとも１組の相互に嵌合される第１嵌合機構が設けられ、前記第２回路板が該第１嵌合機構を通じて前記第１位置決め溝内に固定される、ことを特徴とする、請求項１に記載の組立式内部モジュール構造体。
【請求項３】
前記上カバーがさらに、前記第１側壁に相対する第２側壁と、前記第１側壁と該第２側壁の間を連接する連接壁を含み、前記第１側壁、前記第２側壁及び前記連接壁により、前記上カバーと前記下カバーの間に収容空間が形成される、ことを特徴とする、請求項１に記載の組立式内部モジュール構造体。
【請求項４】
前記収容空間内に設置される給電ユニットを含み、かつ該給電ユニットと前記電気回路が相互に電気的に接続される、ことを特徴とする、請求項３に記載の組立式内部モジュール構造体。
【請求項５】
スピーカーを含み、かつ前記連接壁上に該スピーカーの設置に供することができる嵌置槽が形成され、かつ該スピーカーと前記電気回路が相互に電気的に接続される、ことを特徴とする、請求項３に記載の組立式内部モジュール構造体。
【請求項６】
前記電気回路がさらに、前記第１回路板から前記第２回路板と逆方向に延伸された第３回路板を含み、前記上カバーの前記第２側壁上に該第３回路板の収納に用いる第２位置決め溝が設けられ、前記第３回路板は、該第２位置決め溝に設置された時、前記第２回路板と相対し、かつ前記第１回路板に対して第２挟角をもって折れ曲がる、ことを特徴とする、請求項３に記載の組立式内部モジュール構造体。
【請求項７】
前記第３回路板と前記第２位置決め溝の間にさらに、少なくとも１組の相互に嵌合される第２嵌合機構が設けられ、前記第３回路板が該第２嵌合機構を通じて前記第２位置決め溝内に固定される、ことを特徴とする、請求項６に記載の組立式内部モジュール構造体。
【請求項８】
前記第１回路板がリジッド回路板であり、前記第２回路板及び前記第３回路板がそれぞれフレキシブル回路板であることを特徴とする、請求項６に記載の組立式内部モジュール構造体。
【請求項９】
前記下カバーの中央部位に通孔が形成され、前記第１回路板が前記下カバー上に設置されたとき、該第１回路板の一面が前記収容空間中に突出して露出され、他面が該通孔中に露出される、ことを特徴とする、請求項３に記載の組立式内部モジュール構造体。
【請求項１０】
前記上カバーと前記下カバーの間に、１組の相互に嵌合固定可能な第３嵌合機構が設けられる、ことを特徴とする、請求項１に記載の組立式内部モジュール構造体。
【発明の詳細な説明】
【技術分野】
【０００１】
本発明は、モジュール化した設計でワイヤレスイヤホン等の内部に設置し、組立てコストを大幅に削減できる、組立式内部モジュール構造体に関する。
【背景技術】
【０００２】
電子装置に接続するために用いるイヤホンは、該電子装置が発する音声をイヤホンから人体の耳に伝送する。
一般的なイヤホンは、有線イヤホンとワイヤレスイヤホン（例えばＡｐｐｌｅ社が発表したＡＩＲＰＯＤＳ（登録商標）製品など）に分けることができ、有線イヤホンはワイヤを通じて該電子装置に接続され、ワイヤレスイヤホンはＢｌｕｅｔｏｏｔｈ（登録商標）等の無線通信伝送を通じて電子装置に接続される。
【０００３】
ところで、有線イヤホンはワイヤを通じて電子装置に接続する必要があり、有線イヤホンの使用範囲が制限され、ワイヤが存在するため、引っ張られやすく、かつ収納時にワイヤ同士が相互に絡まりやすい。
一方、ワイヤレスイヤホンは無線通信伝送を通じて接続されるので、使用範囲が該有線イヤホンより遠く、かつワイヤの引っ張りや絡まりが生じやすい問題がなく、このため、近年では、ワイヤレスイヤホンが有線イヤホンに徐々に取って代わっている。
【０００４】
通常、イヤホンは、外部がシェルで被覆されており、内部には回路板、スピーカー等が設置される。ワイヤレスイヤホンの内部にはさらにバッテリー、マイク、無線伝送モジュール等の部品を設置する必要がある。
従来、ワイヤレスイヤホンの組立てを行うとき、特許文献１に記載のように、回路板、スピーカー、バッテリー、マイク、無線伝送モジュール等の部品をそれぞれ順にシェル内部に設置して固定する必要がある。ところが、ワイヤレスイヤホン内部の部品数が多いため、ワイヤレスイヤホンの組立て時、大量の人力により組立てを行う必要があり、人件費の増加を招くだけでなく、ワイヤレスイヤホンは体積が小さいため、内部の組立て空間が限られ、各部品間に組立てミスにより破損が引き起こされやすく、ワイヤレスイヤホンの組立て歩留まりが低下する。
【先行技術文献】
【特許文献】
【０００５】
【特許文献１】台湾特許公告第Ｉ４３３５２４号明細書
【発明の概要】
【発明が解決しようとする課題】
【０００６】
本発明が解決しようとする課題は、モジュール化した設計を利用してワイヤレスイヤホン等の内部に設置し、組立てコストを大幅に削減できる、組立式内部モジュール構造体を提供することにある。
【課題を解決するための手段】
【０００７】
本発明の組立式内部モジュール構造体は、電気回路と、下カバーと、上カバーを含み、前記電気回路が第１回路板と、該第１回路板から延伸された第２回路板を備え、前記下カバーが前記第１回路板を設置するために用いられ、前記上カバーが前記下カバーの上方に設置され、前記第１回路板を前記上カバーと前記下カバーの間に固定するために用いられ、かつ前記上カバーが、前記下カバーに対して一定の角度を形成して立ち上がる第１側壁を備え、かつ前記第１側壁上に前記第２回路板の収納に用いる第１位置決め溝が設置され、前記第２回路板は、前記第１位置決め溝に設置された時、前記第１回路板に対して第１挟角をもって折れ曲がっている。
【０００８】
一実施例において、前記第２回路板と前記第１位置決め溝の間にさらに、少なくとも１組の相互に嵌合される第１嵌合機構が設けられ、前記第２回路板が該第１嵌合機構を通じて前記第１位置決め溝内に固定される。
【０００９】
一実施例において、前記上カバーがさらに、前記第１側壁に相対する第２側壁と、前記第１側壁と該第２側壁の間を連接する連接壁を含み、前記第１側壁、第２側壁及び連接壁により、前記上カバーと前記下カバーの間に収容空間が形成される。
【００１０】
一実施例において、前記収容空間内に設置される給電ユニットを含み、かつ該給電ユニットと前記電気回路が相互に電気的に接続される。
【００１１】
一実施例において、スピーカーを含み、かつ前記連接壁上に該スピーカーの設置に供することができる嵌置槽が形成され、かつ該スピーカーと前記電気回路が相互に電気的に接続される。
【００１２】
一実施例において、前記電気回路がさらに、前記第１回路板から前記第２回路板と逆方向に延伸された第３回路板を含み、前記上カバーの前記第２側壁上に該第３回路板の収納に用いる第２位置決め溝が設けられ、前記第３回路板は、該第２位置決め溝に設置された時、前記第２回路板と相対し、かつ前記第１回路板に対して第２挟角をもって折れ曲がっている。
【００１３】
一実施例において、前記第３回路板と前記第２位置決め溝の間にさらに、少なくとも１組の相互に嵌合される第２嵌合機構が設けられ、前記第３回路板が該第２嵌合機構を通じて前記第２位置決め溝内に固定される。
【００１４】
一実施例において、前記第１回路板がリジッド回路板であり、前記第２回路板及び前記第３回路板がそれぞれフレキシブル回路板である。
【００１５】
一実施例において、前記下カバーの中央部位に通孔が形成され、前記第１回路板が前記下カバー上に設置されたとき、該第１回路板の一面が前記収容空間中に突出して露出され、他面が該通孔中に露出される。
【００１６】
一実施例において、前記上カバーと前記下カバーの間に、１組の相互に嵌合固定可能な第３嵌合機構が設けられる。
【発明の効果】
【００１７】
本発明の組立式内部モジュール構造体は、従来技術と比較して次の利点を備えている。
１．内部モジュール構造体は、上カバーと下カバーにより予め電気回路等の部品を統合することができ、内部モジュール構造体をモジュール化した設計で、組立て時に必要な人件費を大幅に削減できる。
２．内部モジュール構造体は、ワイヤレスイヤホン等の形状に基づき上カバーと下カバーの形状を変えることができ、異なる形状のワイヤレスイヤホン等に適用できる。
【図面の簡単な説明】
【００１８】
【図１】本発明の実施例を示す組立式内部モジュール構造体の斜視図である。
【図２】本発明の実施例を示す組立式内部モジュール構造体の別の角度から見た斜視図である。
【図３】本発明の実施例を示す組立式内部モジュール構造体の分解斜視図である。
【図４】本発明の実施例に係る電気回路の背面斜視図である。
【図５】本発明の実施例を示す組立式内部モジュール構造体の別の角度から見た分解斜視図である。
【図６】本発明の実施例を示す組立式内部モジュール構造体の上カバーと下カバーの組立て後の立体図である。
【図７】本発明の実施例を示す組立式内部モジュール構造体の上カバーと下カバーの組立て後の別の角度から見た斜視図である。
【図８】本発明の実施例を示す組立式内部モジュール構造体の上カバーと下カバーの組立後の背面斜視図である。
【図９】本発明の実施例を示す組立式内部モジュール構造体の側面図である。
【発明を実施するための形態】
【００１９】
本発明の実施例を、図面を組み合わせ、以下で詳細に説明する。
図１および図２に示すように、本実施例において、組立式内部モジュール構造体１０は、電気回路２０と、下カバー３０と、上カバー４０と、給電ユニット５０と、スピーカー６０を含む。
【００２０】
電気回路２０は、図３及び図４に示すように、第１回路板２１と、第２回路板２２と、第３回路板２３より構成される。
第１回路板２１はリジッド回路板である。
第２回路板２２と第３回路板２３はそれぞれフレキシブル回路板であり、かつ第１回路板２１の２つの相対する側から外へ延伸され、第２回路板２２と第３回路板２３が互いに相対する。
電気回路２０はリジッド回路板とフレキシブル回路板で構成するほか、すべてフレキシブル回路板で構成するか、すべてリジッド回路板で構成してもよい。
かつ、第１回路板２１、第２回路板２２、第３回路板２３間が相互に電気的に接続される。
【００２１】
下カバー３０は第１回路板２１の設置に用いられ、下カバー３０の中央部位に下カバー３０を貫通する通孔３１が形成される。
【００２２】
上カバー４０が下カバー３０上に設置され、第１回路板２１を下カバー３０と上カバー４０の間に固定する。
上カバー４０は、第１側壁４１と、第２側壁４２と、第１側壁４１と該第２側壁４２の間を連接する連接壁４３とを含む。
第１側壁４１と第２側壁４２は互いに相対し、かつ上カバー４０が下カバー３０上方に設置されたとき、第１側壁４１、第２側壁４２及び連接壁４３により、下カバー３０と上カバー４０の間に給電ユニット５０を設置することができる収容空間４４が形成される。
また、第１側壁４１上にさらに第２回路板２２の収納に用いる第１位置決め溝４１１が設置される。
第２側壁４２上にさらに第３回路板２３の収納に用いる第２位置決め溝４２１が設置される。
連接壁４３上にスピーカー６０の設置に用いる嵌置槽４３１が設置される。
【００２３】
図６から図９に示すように、組立て時は、まず第１回路板２１を下カバー３０上に設置し、さらに上カバー４０を下カバー３０上に設置して、第１回路板２１の一面を部分的に収容空間４４内に露出させ、他面を通孔３１内に露出させる。
下カバー３０と上カバー４０の間に良好な嵌合効果を具備させるため、下カバー３０と上カバー４０の間に少なくとも１組の相互に嵌合される第３嵌合機構７０が設置される。本実施例においては、下カバー３０と上カバー４０の間に２組の第３嵌合機構７０が設置される。第３嵌合機構７０は、下カバー３０上に凹設された少なくとも１つの第３嵌合凹陥槽７１と、上カバー４０に凸設され、第３嵌合凹陥槽７１に相対する第３嵌合突起７２を含み、第３嵌合凹陥槽７１と第３嵌合突起７２は緊密な組み合わせ方式または互いに干渉し合う方式（ここではあらゆる相互に固定可能な方式を指す）で相互に嵌合され、下カバー３０と上カバー４０の間に効果的な相互嵌合を形成できる。また、第２回路板２２と第３回路板２３を、相互に組み立てられた下カバー３０と上カバー４０の両側からそれぞれ延伸させる。
【００２４】
続いて、順に第２回路板２２及び第３回路板２３を第１回路板２１に対して折り曲げ、それぞれ第１位置決め溝４１１と第２位置決め溝４２１内に配置させる。第２回路板２２と第３回路板２３を確実に第１位置決め溝４１１と第２位置決め溝４２１内に配置させるために、第２回路板２２と第１位置決め溝４１１の間に少なくとも１組の相互に嵌合可能な第１嵌合機構８０が設置され（本実施例では、第２回路板２２と第１位置決め溝４１１の間に２組の第１嵌合機構８０が設置される）、第３回路板２３と第２位置決め溝４２１の間に少なくとも１組の相互嵌合可能な第２嵌合機構９０が設置される（本実施例では第３回路板２３と第２位置決め溝４２１の間に２組の第２嵌合機構９０が設置される）。
【００２５】
各組の第１嵌合機構８０は第２回路板２２上に凸設された少なくとも１つの第１嵌合突起８１と、第１位置決め溝４１１内に凹設され、第１嵌合突起８１と相互に対応する少なくとも１つの第１嵌合凹陥槽８２を含む。
各組の第２嵌合機構９０は第３回路板２３上に凸設された少なくとも１つの第２嵌合突起９１と、第２位置決め溝４２１内に凹設され、第２嵌合突起９１と相互に対応する少なくとも１つの第２嵌合凹陥槽９２を含み、かつ該第１嵌合機構８０及び該第２嵌合機構９０の間はそれぞれ緊密な組み合わせ方式または互いに干渉し合う方式（ここではあらゆる相互に固定可能な方式を指す）で相互に嵌合される。第２回路板２２と第３回路板２３を第１位置決め溝４１１と該第２位置決め溝４２１内にそれぞれ効果的に固定することができる。
【００２６】
第１嵌合突起８１と第２嵌合突起９１はそれぞれ射出成型方式を利用して直接第２回路板２２及び第３回路板２３上に成型され、これにより第２回路板２２と第３回路板２３を第１位置決め溝４１１と第２位置決め溝４２１に設置する工程を大幅に簡素化することができる。
図９に示すように、上カバー４０が下カバー３０上に設置されたとき、第１側壁４１及び第２側壁４２が下カバー３０に対して一定の角度を形成して立ち上がり、第２回路板２２が第１回路板２１に対して第１挟角θ１をもって折れ曲がり、第３回路板２３が第１回路板２２に対して第２挟角θ２をもって折れ曲がる。
【００２７】
最後に、スピーカー６０を連接壁４３の嵌置槽４３１内に設置し、スピーカー６０と電気回路２０の第１回路板２１を相互に電気的に接続する。
さらに、給電ユニット５０を収容空間４４内に設置し、給電ユニット５０と電気回路２０の第１回路板２１を相互に電気的に接続する。
これにより内部モジュール構造体１０がモジュール化され、内部モジュール構造体１０をワイヤレスイヤホンのハウジング（図示しない）に設置するときは、モジュール化された内部モジュール構造体１０をハウジングに直接設置するだけで、ワイヤレスイヤホンの組立てが完了し、該ワイヤレスイヤホンの組立て工程が大幅に簡素化され、組立て時に必要な人力を大幅に減少し、組立てコストを削減することができる。
【００２８】
このように、内部モジュール構造体１０を予めモジュール化し、かつ内部モジュール構造体１０上に給電ユニット５０とスピーカー６０を統合することで、内部モジュール構造体１０をワイヤレスイヤホンの内部に直接設置でき、ワイヤレスイヤホンの組立工程を大幅に簡素化すると同時に、組立時の人件費を大幅に削減し、組立コスト削減の効果を達成することができる。
【００２９】
以上の説明は、本発明の実施例の説明にすぎず、これを以って本発明の権利範囲を限定することはできない。当業者による本発明の要旨を逸脱しない修飾や変化はいずれも本発明の権利範囲内に含まれる。
【符号の説明】
【００３０】
１０          内部モジュール構造体
２０          電気回路
２１          第１回路板
２２          第２回路板
２３          第３回路板
３０          下カバー
３１          通孔
４０          上カバー
４１          第１側壁
４１１        第１位置決め溝
４２          第２側壁
４２１        第２位置決め溝
４３          連接壁
４３１        嵌置槽
４４          収容空間
θ１          第１挟角
θ２          第２挟角
５０          給電ユニット
６０          スピーカー
７０          第３嵌合機構
７１          第３嵌合凹陥槽
７２          第３嵌合突起
８０          第１嵌合機構
８１          第１嵌合突起
８２          第１嵌合凹陥槽
９０          第２嵌合機構
９１          第２嵌合突起
９２          第２嵌合凹陥槽
【図１】
2020102604.tif 000003
【図２】
2020102604.tif 000004
【図３】
2020102604.tif 000005
【図４】
2020102604.tif 000006
【図５】
2020102604.tif 000007
【図６】
2020102604.tif 000008
【図７】
2020102604.tif 000009
【図８】
2020102604.tif 000010
【図９】
2020102604.tif 000011